(57)【要約】【課題】撮像機能、または撮像済みの映像信号の再生機能に関する問題を解決するための設定の変更をユーザが容易に、かつ迅速に行うことができるようにする。【解決手段】撮像済みの映像信号の再生中に、再生映像を表示することができないなどの再生機能に関する問題が発生した場合、その問題が設定の変更により解決可能な問題である場合には、問題の内容とそれを解決するための操作の内容を表すメッセージが表示される。メッセージが表示される画面には、問題を解決するように設定を直接変更するときに操作されるショートカットボタンも表示される。ショートカットボタンが押されることによって設定が変更され、問題が解決したとき、再生映像の表示などが開始される。本発明は、撮像機能と再生機能を有する撮像装置に適用することができる。【選択図】図１０
2008147862.tif 000002
【特許請求の範囲】
【請求項１】
撮像機能と、撮像済みの映像信号の再生機能を少なくとも有する撮像装置において、
前記撮像機能または前記再生機能に関する問題の発生を検出し、発生を検出した前記問題が設定の変更により解決可能な問題である場合、問題の内容を表すメッセージとともに、問題を解決するように設定を変更するときに操作されるボタンを表示する表示制御手段と、
前記表示制御手段により表示された前記ボタンが操作されることに応じて設定を変更する設定手段と
を備える撮像装置。
【請求項２】
前記表示制御手段は、前記メッセージを、問題が発生している状態の画面に重ねて表示させる
請求項１に記載の撮像装置。
【請求項３】
前記表示制御手段は、さらに、問題を解決するための操作の内容を表すメッセージを表示させる
請求項１に記載の撮像装置。
【請求項４】
撮像機能と、撮像済みの映像信号の再生機能を少なくとも有する撮像装置の設定方法において、
前記撮像機能または前記再生機能に関する問題の発生を検出し、発生を検出した前記問題が設定の変更により解決可能な問題である場合、問題の内容を表すメッセージとともに、問題を解決するように設定を変更するときに操作されるボタンを表示し、
表示した前記ボタンが操作されることに応じて設定を変更する
ステップを含む設定方法。
【請求項５】
撮像機能と、撮像済みの映像信号の再生機能を少なくとも有する撮像装置の設定処理をコンピュータに実行させるプログラムにおいて、
前記撮像機能または前記再生機能に関する問題の発生を検出し、発生を検出した前記問題が設定の変更により解決可能な問題である場合、問題の内容を表すメッセージとともに、問題を解決するように設定を変更するときに操作されるボタンを表示し、
表示した前記ボタンが操作されることに応じて設定を変更する
ステップを含むプログラム。
【請求項６】
撮像機能と、撮像済みの映像信号の再生機能を少なくとも有する撮像装置において、
前記撮像機能または前記再生機能に関する問題の発生を検出し、発生を検出した前記問題が設定の変更により解決可能な問題である場合、問題の内容を表すメッセージとともに、設定を変更するときに用いられる設定画面を表示するときに操作されるボタンを表示し、前記ボタンが操作されることに応じて、前記設定画面を、前記メッセージが表示される画面に替えて表示する表示制御手段と、
前記表示制御手段により表示された前記設定画面を用いて行われる操作に応じて設定を変更する設定手段と
を備える撮像装置。
【請求項７】
撮像機能と、撮像済みの映像信号の再生機能を少なくとも有する撮像装置の設定方法において、
前記撮像機能または前記再生機能に関する問題の発生を検出し、発生を検出した前記問題が設定の変更により解決可能な問題である場合、問題の内容を表すメッセージとともに、設定を変更するときに用いられる設定画面を表示するときに操作されるボタンを表示し、前記ボタンが操作されることに応じて、前記設定画面を、前記メッセージが表示される画面に替えて表示し、
表示した前記設定画面を用いて行われる操作に応じて設定を変更する
ステップを含む設定方法。
【請求項８】
撮像機能と、撮像済みの映像信号の再生機能を少なくとも有する撮像装置の設定処理をコンピュータに実行させるプログラムにおいて、
前記撮像機能または前記再生機能に関する問題の発生を検出し、発生を検出した前記問題が設定の変更により解決可能な問題である場合、問題の内容を表すメッセージとともに、設定を変更するときに用いられる設定画面を表示するときに操作されるボタンを表示し、前記ボタンが操作されることに応じて、前記設定画面を、前記メッセージが表示される画面に替えて表示し、
表示した前記設定画面を用いて行われる操作に応じて設定を変更する
ステップを含むプログラム。
【発明の詳細な説明】
【技術分野】
【０００１】
本発明は、撮像装置、設定方法、およびプログラムに関し、特に、撮像機能、または撮像済みの映像信号の再生機能に関する問題を解決するための設定の変更をユーザが容易に、かつ迅速に行うことができるようにした撮像装置、設定方法、およびプログラムに関する。
【背景技術】
【０００２】
ビデオカメラなどの撮像装置は、年々、より高画質でより綺麗な映像を楽しむことができるようなものになってきている。それに伴って、映像の高画質化に効果的な機能や、撮像を楽しむための機能が充実してきている。
【０００３】
１０８０ｉ、１９２０ｉなどのハイビジョン映像の登場による複数のフォーマットの存在や、テープ、DVD(Digital Versatile Disc)、ハードディスクといったような記録メディアの違いなどに対応するため、撮像装置で設定可能な機能が増加傾向にあり、複雑な設定が必要になってきている。
【０００４】
特許文献１には、フォーカスがあっていないことを自動的に判断し、警告を表示する技術が開示されている。
【特許文献１】特開昭６３−２２９４１５号公報
【発明の開示】
【発明が解決しようとする課題】
【０００５】
より綺麗で効果的な撮像を望むユーザにとっては、上述したような機能が充実することは喜ばしいことである。
【０００６】
しかし、装置に不慣れなユーザにとっては、取り扱い説明書を見なければ機能名から機能を推測することが出来なかったり、機能が多数あるために目的の機能をメニュー画面から探すことができなかったり、ある機能の設定はできたが、状況が変わったときにその機能を解除することができなかったりすることが起こってしまうものと考えられる。
【０００７】
このような状況であるから、例えば、設定が不適切であるために、撮像済みの映像信号を再生したとしても映像が正しく表示されないなどの問題が発生することがある。
【０００８】
このような場合、従来は、問題の発生を検出したときにメッセージを表示することにより、問題を解決しようとしていた。つまり、メッセージを表示することによって、問題の内容とともに、解決するための機能の名前とその設定のしかたをユーザに通知し、設定の変更を促していた。
【０００９】
しかし、上述したように、解決するための設定を行う設定画面にメニュー画面などから辿り着くことが難しく、結局、問題を解決することができないという問題があった。
【００１０】
また、装置に慣れたユーザであっても、設定画面に辿り着くためには複数回のボタン操作が必要であり、手間がかかっていた。
【００１１】
ここで、表示の具体例について図１乃至図６を参照して説明する。
【００１２】
図１乃至図６は、ビデオカメラに表示される画面の例を示す図である。
【００１３】
このビデオカメラは、スタンダードフォーマット（以下、SD(Standard Definition)フォーマット）の映像信号とハイビジョンフォーマット（以下、HD(High Definition)フォーマット）の映像信号を同じテープに混在させて記録し、それを再生することができるカメラであるものとする。
【００１４】
つまり、ユーザは、あるシーンはSDフォーマットで記録し、他のシーンはHDフォーマットで記録するといったような使い方をすることができる。撮像の際のフォーマットの選択は、メニュー画面から表示させることのできる設定画面を用いて行われる。なお、このビデオカメラは、SDフォーマットでしか撮像することができない他の撮像装置によって映像信号が記録されているテープに対して、HDフォーマットの映像信号を上書きすることもできるものとされる。
【００１５】
一方、撮像済みの映像信号を再生する際、ユーザは、再生の対象とする映像信号のフォーマット（再生フォーマット）を選択し、特定のフォーマットの映像信号だけを再生させることができる。
【００１６】
図１は、再生フォーマットの選択に用いられる設定画面の例を示す図である。
【００１７】
設定画面の上方には「ビデオHDV/DV」が表示されており、図１の設定画面は、「ビデオHDV/DV」という機能がメニュー画面から選択されたときに表示される画面とされている。ユーザは、この設定画面に表示されるボタン１を押すことによって「オート」を選択することができ、ボタン２を押すことによって「HD」（HDV）を選択することができる。また、ボタン３を押すことによって「SD」（DV）を選択することができる。
【００１８】
ビデオカメラのLCD(Liquid Crystal Display)パネルにはタッチパネルが重ねられており、ユーザは、画面に表示されるボタンを指で直接押すことで操作することができる。
【００１９】
「オート」は、再生対象になっている映像信号のフォーマットに応じて、ビデオカメラが再生処理を自動的に切り替えて再生する設定であり、「SD」はSDフォーマットの映像信号のみを対象とした再生処理を行う設定である。また、「HD」はHDフォーマットの映像信号のみを対象とした再生処理を行う設定である。
【００２０】
図１に示されるような設定画面からボタン２を押し、「HD」をユーザが選択している場合、SDフォーマットで記録されている映像信号は再生されず、SDフォーマットで記録されている映像信号の区間が再生対象になっている間、再生映像が表示されない状態が続き、画面の背景はブルー表示（青色での表示）のままになる。
【００２１】
従って、そのような表示になることをユーザが意図して「HD」を選択している場合は問題ないが、間違って「HD」を選択してしまった場合、映像がなぜ表示されないのかユーザは分からない。
【００２２】
そこで、図２に示されるようにポップアップ１１を表示し、そこに「この“ビデオHDV/DV”設定では表示できない信号です  表示するには設定を変更してください」のメッセージを表示することにより、設定の変更を促すようになされている。ポップアップ１１には、メッセージの表示を閉じるときに操作される終了ボタン１１Ａも表示される。図２のポップアップ１１などの背景になる無地の部分はブルー表示の状態の部分である。
【００２３】
しかし、メッセージに従って設定を変更するためには、ユーザは、まず、終了ボタン１１Ａを押し、図３に示されるようにしてポップアップ１１を閉じた上で、画面の下方に表示されるボタン２１乃至２５の中からボタン２５を押すことによって、図４に示されるようなメニュー画面を開く必要がある。図３のボタン２５はメニュー画面を表示するときに操作されるボタンである。
【００２４】
また、ユーザは、メニュー画面中のスクロールボタン３１または３２を押して、“ビデオHDV/DV”の機能を探す必要がある。メニュー画面の中央に表示される機能が現在注目されている機能であり、図４の状態では「ピクチャーアプリ」の機能が注目されている。
【００２５】
スクロールボタン３１または３２を押すことによって、図５に示されるように“ビデオHDV/DV”の機能が注目された場合、ユーザは、OKボタン３３か、“ビデオHDV/DV”の文字が表示される機能選択ボタン３４を押し、図１に示されるような“ビデオHDV/DV”の設定画面を表示させる。
【００２６】
図１の設定画面で「オート」を選択したり、「SD」を選択したりして正しい設定に変更することにより、SDフォーマットの映像信号の再生が開始され、画面には、図６に示されるように再生映像が表示されることになる。
【００２７】
再生フォーマットを選択するだけでも以上のようなステップ数の多い操作が必要となり、初心者にはとても難しいものになっていた。
【００２８】
本発明はこのような状況に鑑みてなされたものであり、撮像機能、または撮像済みの映像信号の再生機能に関する問題を解決するための設定の変更をユーザが容易に、かつ迅速に行うことができるようにするものである。
【課題を解決するための手段】
【００２９】
本発明の第１の側面の撮像装置は、撮像機能と、撮像済みの映像信号の再生機能を少なくとも有する撮像装置において、前記撮像機能または前記再生機能に関する問題の発生を検出し、発生を検出した前記問題が設定の変更により解決可能な問題である場合、問題の内容を表すメッセージとともに、問題を解決するように設定を変更するときに操作されるボタンを表示する表示制御手段と、前記表示制御手段により表示された前記ボタンが操作されることに応じて設定を変更する設定手段とを備える。
【００３０】
前記表示制御手段には、前記メッセージを、問題が発生している状態の画面に重ねて表示させることができる。
【００３１】
前記表示制御手段には、さらに、問題を解決するための操作の内容を表すメッセージを表示させることができる。
【００３２】
本発明の第１の側面の設定方法またはプログラムは、撮像機能または再生機能に関する問題の発生を検出し、発生を検出した前記問題が設定の変更により解決可能な問題である場合、問題の内容を表すメッセージとともに、問題を解決するように設定を変更するときに操作されるボタンを表示し、表示した前記ボタンが操作されることに応じて設定を変更するステップを含む。
【００３３】
本発明の第２の側面の撮像装置は、撮像機能と、撮像済みの映像信号の再生機能を少なくとも有する撮像装置において、前記撮像機能または前記再生機能に関する問題の発生を検出し、発生を検出した前記問題が設定の変更により解決可能な問題である場合、問題の内容を表すメッセージとともに、設定を変更するときに用いられる設定画面を表示するときに操作されるボタンを表示し、前記ボタンが操作されることに応じて、前記設定画面を、前記メッセージが表示される画面に替えて表示する表示制御手段と、前記表示制御手段により表示された前記設定画面を用いて行われる操作に応じて設定を変更する設定手段とを備える。
【００３４】
本発明の第２の側面の設定方法またはプログラムは、撮像機能または再生機能に関する問題の発生を検出し、発生を検出した前記問題が設定の変更により解決可能な問題である場合、問題の内容を表すメッセージとともに、設定を変更するときに用いられる設定画面を表示するときに操作されるボタンを表示し、前記ボタンが操作されることに応じて、前記設定画面を、前記メッセージが表示される画面に替えて表示し、表示した前記設定画面を用いて行われる操作に応じて設定を変更するステップを含む。
【００３５】
本発明の第１の側面においては、撮像機能または再生機能に関する問題の発生が検出され、発生が検出された前記問題が設定の変更により解決可能な問題である場合、問題の内容を表すメッセージとともに、問題を解決するように設定を変更するときに操作されるボタンが表示される。また、表示された前記ボタンが操作されることに応じて設定が変更される。
【００３６】
本発明の第２の側面においては、撮像機能または再生機能に関する問題の発生が検出され、発生が検出された前記問題が設定の変更により解決可能な問題である場合、問題の内容を表すメッセージとともに、設定を変更するときに用いられる設定画面を表示するときに操作されるボタンが表示され、前記ボタンが操作されることに応じて、前記設定画面が、前記メッセージが表示される画面に替えて表示される。また、表示された前記設定画面を用いて行われる操作に応じて設定が変更される。
【発明の効果】
【００３７】
本発明によれば、ユーザは、撮像機能、または撮像済みの映像信号の再生機能に関する問題を解決するための設定の変更を容易に、かつ迅速に行うことができる。
【発明を実施するための最良の形態】
【００３８】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が発明に対応するものとしてここに記載されていたとしても、そのことは、その実施の形態が、その構成要件以外には対応しないものであることを意味するものでもない。
【００３９】
本発明の第１の側面の撮像装置（例えば、図７のビデオカメラ５１）は、撮像機能と、撮像済みの映像信号の再生機能を少なくとも有する撮像装置において、前記撮像機能または前記再生機能に関する問題の発生を検出し、発生を検出した前記問題が設定の変更により解決可能な問題である場合、問題の内容を表すメッセージとともに、問題を解決するように設定を変更するときに操作されるボタンを表示する表示制御手段（例えば、図８の問題発生検出部８１）と、前記表示制御手段により表示された前記ボタンが操作されることに応じて設定を変更する設定手段（例えば、図８の設定管理部８２）とを備える。
【００４０】
本発明の第１の側面の設定方法またはプログラムは、撮像機能または再生機能に関する問題の発生を検出し、発生を検出した前記問題が設定の変更により解決可能な問題である場合、問題の内容を表すメッセージとともに、問題を解決するように設定を変更するときに操作されるボタンを表示し、表示した前記ボタンが操作されることに応じて設定を変更するステップ（例えば、図９のステップＳ７）を含む。
【００４１】
以下、本発明の実施の形態について図を参照して説明する。
【００４２】
図７は、本発明の一実施形態に係るビデオカメラ５１のハードウエア構成例を示すブロック図である。
【００４３】
ビデオカメラ５１は、撮像機能と、撮像済みの映像信号の再生機能を少なくとも有している。撮像中に、適切な画質の撮像を行うことができないなどの撮像機能に関する問題が発生した場合、あるいは、撮像済みの映像信号の再生中に、再生映像を表示することができないなどの再生機能に関する問題が発生した場合、その問題が設定の変更により解決可能な問題であるときには、ビデオカメラ５１は、問題の内容とそれを解決するための操作の内容を表すメッセージを表示し、ユーザに提示する。
【００４４】
メッセージが表示される画面には、問題を解決するように設定を直接変更するときに操作されるショートカットボタンも表示され、そのショートカットボタンを押すことによって、ユーザが、問題のある設定を、容易に、かつ迅速に変更することができるようになされている。ショートカットボタンが押されることによって設定が変更され、問題が解決したとき、適切な画質での撮像や、再生映像の表示などが開始される。
【００４５】
レンズ６１は、マイクロプロセッサ６６からのコントロール信号に従って、絞り値を変更して明るさを調整し、集光した外界の光をCCD(Charge Coupled Device)６２に送る。
【００４６】
CCD６２は、レンズ６１を経由して入力された光を光電変換することによりアナログの電気信号を生成し、生成した電気信号をカメラ信号処理回路６３に出力する。
【００４７】
カメラ信号処理回路６３は、マイクロプロセッサ６６による制御に従って、CCD６２から供給された電気信号をデジタルの映像信号に変換し、変換して得られた映像信号に対して、ホワイトバランスの調整、解像度の変換などの映像効果を加える。
【００４８】
ビデオカメラ５１は、例えば、撮像して得られた映像信号をSDフォーマットの映像信号として、またはHDフォーマットの映像信号として記録することができ、ユーザにより選択されているフォーマットの映像信号になるようにカメラ信号処理回路６３において映像効果が加えられる。カメラ信号処理回路６３は、映像効果を加えることによって得られた映像信号を記録再生処理回路６４と重畳回路６８に出力する。
【００４９】
記録再生処理回路６４は、マイクロプロセッサ６６からのコントロール信号に従って、カメラ信号処理回路６３から供給された映像信号を図示せぬ記録メディアに記録させる。記録メディアとして例えばテープが用意される。
【００５０】
また、記録再生処理回路６４は、記録メディアに記録されている映像信号を再生することがマイクロプロセッサ６６から指示されたとき、記録メディアからデータを読み出し、読み出したデータを再生することによって得られた映像信号を重畳回路６８に出力する。記録再生処理回路６４は、映像信号の記録中、記録処理の状態をマイクロプロセッサ６６に通知し、映像信号の再生中、再生処理の状態をマイクロプロセッサ６６に通知する。
【００５１】
キー入力回路６５は、ビデオカメラ５１の筐体表面に設けられた専用の外部操作部材（ボタン）６５Ａを有し、そのボタンが操作されることに応じて、ユーザの操作の内容を表す信号をマイクロプロセッサ６６に出力する。
【００５２】
マイクロプロセッサ６６は、所定のプログラムを実行し、ビデオカメラ５１の全体の動作を制御する。
【００５３】
例えば、マイクロプロセッサ６６は、キー入力回路６５から供給された信号やタッチパネル６９から供給された信号をAD(Analog Digital)変換することによって得られたデータに基づいて、現在、ユーザによってどのボタンが押されているのかを判断し、オンスクリーンディスプレイ回路６７にコマンドを送信することによって、LCDパネル７０に表示させる画面をユーザの操作に応じて更新させる。画面の更新は、撮像機能や再生機能に関する問題が発生したことをユーザに通知するためのメッセージを表示させているときに、同じ画面に表示させているショートカットボタンが操作されたときなどに行われる。
【００５４】
また、マイクロプロセッサ６６は、レンズ６１、カメラ信号処理回路６３、記録再生処理回路６４を制御することによって撮像を行わせたり、記録再生処理回路６４を制御することによって撮像済みの映像信号を再生させたりする。
【００５５】
オンスクリーンディスプレイ回路６７は、マイクロプロセッサ６６から供給されたコマンドを解釈し、コマンドとともに供給されたビットマップデータをVRAM(Video Random Access Memory)上に展開して、LCDパネル７０に画面を表示させるための表示信号を生成する。オンスクリーンディスプレイ回路６７は、生成した表示信号を走査単位で重畳回路６８に出力する。
【００５６】
重畳回路６８は、撮像中、カメラ信号処理回路６３から供給された映像信号とオンスクリーンディスプレイ回路６７から供給された表示信号を重畳し、重畳して得られた映像信号を出力する。出力先は、LCDパネル７０、ビューファインダパネル７１、映像信号をテレビジョン受像機などの外部の装置に出力するための端子であるLINE OUTなどに出力する。撮像中に重畳回路６８から出力された映像信号に基づいて出力先において表示される画面は、撮像中の映像に各種のボタンを重ねて表示するような画面になる。
【００５７】
また、重畳回路６８は、映像信号の再生中、記録再生処理回路６４から供給された映像信号とオンスクリーンディスプレイ回路６７から供給された表示信号を重畳し、重畳して得られた映像信号を出力する。
【００５８】
タッチパネル６９は、LCDパネル７０に重ねて設けられ、LCDパネル７０に表示された画面上のボタンに対するユーザの接触を検出し、ユーザの操作位置を表す電気信号をマイクロプロセッサ６６に出力する。
【００５９】
LCDパネル７０は、重畳回路６８から供給された映像信号に基づいて画面表示を行う。
【００６０】
ビューファインダパネル７１も同様に、重畳回路６８から供給された映像信号に基づいて画面表示を行い、例えば、LCDパネル７０の表示がオフにされているときに、撮像中の映像や再生中の映像をユーザに確認させる。
【００６１】
電源回路７２は、マイクロプロセッサ６６や他の回路に対する電源の配給を行う。他の回路への電源の配給は、マイクロプロセッサ６６が電源コントロール回路７５を制御することに応じて行われる。電源にはバッテリ７３からの電源、ACケーブル７４を介して外部から供給された電源が用いられる。電源回路７２は、ACケーブル７４を介して外部から供給された電源をバッテリ７３に出力し、バッテリ７３を充電させたりもする。
【００６２】
図８は、ビデオカメラ５１の機能構成例を示すブロック図である。図８に示す機能部のうちの少なくとも一部は、図７のマイクロプロセッサ６６により所定のプログラムが実行されることによって実現される。
【００６３】
図８に示されるように、ビデオカメラ５１においては問題発生検出部８１と設定管理部８２が実現される。
【００６４】
問題発生検出部８１は、再生機能によって、撮像済みの映像信号を再生している間、あるいは、撮像機能によって映像信号を撮像している間、記録再生処理回路６４からの通知に基づいて、映像信号の撮像や再生に問題がないかを監視する。
【００６５】
問題発生検出部８１は、問題が発生したことを検出したとき、設定管理部８２が管理する現在の設定を確認するなどして、その問題が、メニュー画面から設定を変更することで解決可能な問題であるか否かを確認し、解決可能な問題であることを確認した場合、オンスクリーンディスプレイ回路６７を制御して、問題の内容と解決のしかたをユーザに通知するメッセージをLCDパネル７０に表示させる。問題発生検出部８１は、このメッセージとともに、問題を解決するための設定の変更を直接行うときに操作されるショートカットボタンなども表示させる。
【００６６】
また、問題発生検出部８１は、発生した問題が、メニュー画面から設定を変更することによっては解決することができない問題であることを確認した場合、問題が発生したことをユーザに通知するメッセージをLCDパネル７０に表示させる。
【００６７】
例えば、問題発生検出部８１は、再生フォーマットとしてHDフォーマットがユーザにより選択されている状態において、SDフォーマットで記録されている映像信号の区間が再生対象になっていることから、LCDパネル７０に再生映像が表示されずに画面の背景がブルー表示のままになっている場合、再生機能に問題が発生したとして検出する。
【００６８】
図７のビデオカメラ５１は、SDフォーマットの映像信号とHDフォーマットの映像信号を同じテープに混在させて記録し、それを再生することができるカメラである。ユーザは、あるシーンはSDフォーマットで記録し、他のシーンはHDフォーマットで記録するといったような使い方をすることができる。再生フォーマットの選択は、メニュー画面から表示させることのできる、図１に示されるような設定画面を用いて行われる。
【００６９】
例えば、HDフォーマットの映像信号とSDフォーマットの映像信号が混在して記録されているテープが装着され、その再生が指示された場合、図１の設定画面から「SD」が選択されているときには、SDフォーマットで記録されている映像信号の区間が再生対象になっている間だけ、再生映像がLCDパネル７０に表示され、HDフォーマットで記録されている映像信号の区間が再生対象になっている間は再生映像が表示されずに、LCDパネル７０の表示はブルー表示のままになる。
【００７０】
記録メディアがテープである場合、再生の開始が指示された位置に記録されている映像信号から時系列順に再生対象となるから、HDフォーマットの映像信号とSDフォーマットの映像信号が混在して記録されているときには、あるタイミングではHDフォーマットの映像信号が再生対象となり、他のタイミングではSDフォーマットの映像信号が再生対象となることになる。
【００７１】
反対に、図１の設定画面から「HD」が選択されているときには、HDフォーマットで記録されている映像信号の区間が再生対象になっている間だけ、再生映像がLCDパネル７０に表示され、SDフォーマットで記録されている映像信号の区間が再生対象になっている間は再生映像が表示されずに、LCDパネル７０の表示はブルー表示のままになる。
【００７２】
「オート」が選択されている場合、「オート」はビデオカメラ５１がフォーマットに応じて再生処理を自動的に切り替える設定であるから、HDフォーマットで記録されている映像信号の区間が再生対象になっている間も、SDフォーマットで記録されている映像信号の区間が再生対象になっている間も、再生映像がLCDパネル７０に正しく表示される。
【００７３】
また、問題発生検出部８１は、映像の明るさを下げるような設定がユーザの手動操作（マニュアル操作）によって行われていることから、現在撮像中の映像の明るさが適正な明るさではない場合、撮像機能に問題が発生したとして検出する。ビデオカメラ５１は、ユーザが、撮像する映像の明るさを手動操作によって調整することができるカメラでもある。
【００７４】
図８の設定管理部８２は、撮像機能に関する現在の設定、撮像済みの映像信号の再生機能に関する現在の設定を管理する。機能に関する設定は、例えば、図４に示されるようなメニュー画面から辿ることのできる、図１に示されるような設定画面から行われる。メニュー画面には、各種の機能の名前が表示され、その中から１つの機能が選択されたとき、LCDパネル７０には、メニュー画面に替えて、選択された機能についての設定画面が表示される。
【００７５】
また、設定管理部８２は、問題が発生したときに問題発生検出部８１により表示される、問題を解決するための設定の変更を直接行うことのできるショートカットボタンがユーザにより押されたことをタッチパネル６９からの信号に基づいて検出したとき、問題を解決するように設定を変更し、変更後の設定を管理する。
【００７６】
次に、図９のフローチャートを参照して、以上のような構成を有するビデオカメラ５１の処理について説明する。
【００７７】
ここでは、上述したように、ユーザにより選択されている再生フォーマットとは異なるフォーマットの映像信号の区間が再生対象になっていることから、再生映像が表示されずに、LCDパネル７０の表示がブルー表示になっていることを検出した場合の処理について説明する。
【００７８】
この処理は、例えば、LCDパネル７０に表示されている再生ボタンが押され、そのことを表す信号がタッチパネル６９からマイクロプロセッサ６６に出力されたときに開始される。マイクロプロセッサ６６においては、テープに記録されている映像信号の再生を開始することを指示するコントロール信号が生成され、記録再生処理回路６４に対して出力される。再生が開始されることによって記録再生処理回路６４により得られた映像信号は重畳回路６８に供給され、LCDパネル７０に映像が表示されるとともに、再生状態が記録再生処理回路６４からマイクロプロセッサ６６に通知される。
【００７９】
ステップＳ１において、問題発生検出部８１は、LCDパネル７０の表示がブルー表示になっていることを記録再生処理回路６４からの通知に基づいて確認した場合、それを、再生機能に関する問題が発生したとして検出する。記録再生処理回路６４からは、LCDパネル７０の表示がブルー表示になっていることを表す問題信号がマイクロプロセッサ６６に出力される。
【００８０】
例えば、HDフォーマットの映像信号のみを再生する「HD」が図１の設定画面から選択されている場合において、再生対象の映像信号がSDフォーマットの映像信号であるとき、問題の発生が問題発生検出部８１により検出される。
【００８１】
ステップＳ２において、問題発生検出部８１は、記録再生処理回路６４から供給された問題情報を解析し、発生した問題が、設定画面から設定を変更することで解決することのできる問題であるか否かを判定する。
【００８２】
ステップＳ２において設定を変更することで解決することのできる問題ではないと判定した場合、ステップＳ３において、問題発生検出部８１は、オンスクリーンディスプレイ回路６７にコマンドを出力することによって、問題の内容をユーザに通知するためのメッセージを重畳回路６８を介してLCDパネル７０やビューファインダパネル７１に表示させる。
【００８３】
その後、処理は終了される。ユーザは、メッセージを確認した後、メニュー画面を表示させ、メニュー画面から各種のボタンを操作して辿ることによって図１に示されるような設定画面を表示させてから、設定を変更することになる。
【００８４】
一方、ステップＳ２において設定を変更することで解決することのできる問題であると判定した場合、ステップＳ４において、問題発生検出部８１は、原因となっている機能の名前などの問題の内容や、問題を解決するための方法をユーザに通知するためのメッセージをLCDパネル７０やビューファインダパネル７１に表示させる。
【００８５】
例えば、LCDパネル７０の表示がブルー表示になっていることが問題として検出されている場合、その問題は、再生フォーマットを正しく設定すれば解決できることから、設定を変更することで解決することのできる問題であるとして判定され、問題の内容や問題を解決するための方法を通知するためのメッセージが表示される。
【００８６】
また、問題発生検出部８１は、ステップＳ５において、メッセージが表示されるポップアップの中に、問題を解決するための設定の変更を直接行うときに操作されるショートカットボタンである設定変更ボタンと、メッセージの表示を閉じるときに操作される終了ボタンを表示させる。
【００８７】
図１０は、LCDパネル７０に表示される画面の例を示す図である。
【００８８】
図１０に示される画面は、基本的に、メッセージの内容が一部異なる点と、メッセージの表示を閉じるときに操作される終了ボタン９１Ａの左隣に設定変更ボタン９１Ｂがさらに表示される点が、図２に示される画面と異なる。設定変更ボタン９１Ｂは、問題を解決するような設定の変更を、設定画面などを表示することなく直接行うときに操作されるショートカットボタンである。
【００８９】
図１０の例においては、画面のほぼ中央にポップアップ９１が表示され、そこに「この“ビデオHDV/DV”設定では表示できない信号です。表示するには［設定］ボタンを押してください。」のメッセージが表示されている。メッセージは、問題が発生している状態のままのブルー表示に重ねて表示されている。
【００９０】
メッセージの上には、終了ボタン９１Ａと設定変更ボタン９１Ｂが表示されている。ポップアップ９１に表示されているメッセージは、“ビデオHDV/DV”の設定に問題があることと、“ビデオHDV/DV”の設定を変更し、再生映像を表示させるためには、同時に表示されている設定変更ボタン９１Ｂを押すことを促すものになっている。
【００９１】
ユーザは、終了ボタン９１Ａを押すことによってメッセージの表示を閉じることができ、設定変更ボタン９１Ｂを押すことによって、LCDパネル７０の表示がブルー表示になっている問題を解決するように設定を変更することができる。
【００９２】
図９の説明に戻り、ステップＳ６において、設定管理部８２は、タッチパネル６９からの信号に基づいて、設定変更ボタン９１Ｂと終了ボタン９１Ａのうちのいずれのボタンが押されたかを判定する。
【００９３】
設定管理部８２は、ステップＳ６において終了ボタン９１Ａが押されたと判定した場合、メッセージの表示を閉じ、処理を終了させる。終了ボタン９１Ａは、ユーザが現在の設定を変更したくないような場合のために用意される。
【００９４】
一方、ステップＳ６において設定変更ボタン９１Ｂが押されたと判定した場合、ステップＳ７において、設定管理部８２は、設定を変更し、変更後の設定を管理する。
【００９５】
ステップＳ８において、設定管理部８２は、変更後の設定の内容をユーザに通知するためのメッセージをLCDパネル７０やビューファインダパネル７１に表示させる。
【００９６】
例えば、設定変更ボタン９１Ｂが押された場合、設定管理部８２は、再生フォーマットの設定を、再生対象になっているSDフォーマットの映像信号を再生することのできる設定である「オート」に変更する。また、設定管理部８２は、「オート」の設定で映像信号の再生を行うことを指示するコントロール信号を記録再生処理回路６４に出力するとともに、変更後の設定が「オート」であることを通知するためのメッセージをLCDパネル７０などに表示させる。記録再生処理回路６４においては、SDフォーマットに応じた再生処理が行われるように、再生処理が切り替えられる。
【００９７】
このとき、再生フォーマットの設定と、実際に記録されている映像信号のフォーマットが一致するため（「オート」で再生することのできる映像信号のフォーマットに、再生対象になっている映像信号のフォーマットであるSDフォーマットが含まれるため）、LCDパネル７０には再生映像が正しく表示され、問題が解決されることになる。その後、処理は終了される。
【００９８】
図１１は、図１０の設定変更ボタン９１Ｂが押された直後にLCDパネル７０に表示される画面の例を示す図である。
【００９９】
図１１の例においては、ポップアップ１０１が表示され、そこに「“ビデオHDV/DV”の設定をオートに変更しました」のメッセージが表示されている。
【０１００】
図１２は、図１１の画面に続けてLCDパネル７０に表示される画面の例を示す図である。
【０１０１】
設定の変更が有効になり、再生フォーマットの設定を「オート」として記録再生処理回路６４により再生が開始された場合、再生対象になっているSDフォーマットの映像信号に応じた再生処理が行われ、再生映像が正しく表示される。
【０１０２】
図１２の例においては、ポップアップ１０１の背景には再生映像が表示されている。ポップアップ１０１は所定の時間が経過した後に閉じ、ユーザは、再生映像を見ることができる。
【０１０３】
以上の処理により、ユーザは、問題の内容などを通知するメッセージとともに表示されるボタンを押すことによって、容易に、かつ迅速に設定を変更し、問題を解決することができる。
【０１０４】
また、問題を迅速に解決することができることにより、ユーザは、問題の発生にとまどっている間に機会損失を被るといったことを防ぐことができる。さらに、ユーザは、ビデオカメラ５１を安心して使うことができ、満足感を得ることができる。
【０１０５】
以上においては、再生フォーマットの設定に問題がある場合について説明したが、他の設定に問題がある場合にも同様の処理によって問題を解決することができる。
【０１０６】
例えば、映像の明るさをユーザが手動で設定したにもかかわらず、その明るさが適切な明るさではないことが撮像中に確認された場合、撮像機能に問題が発生したものとして問題発生検出部８１により検出される。この場合、明るさが適切でないことを通知するメッセージが、明るさが適切なものになるように直接設定を変更するときに操作されるショートカットボタンとともに表示される。
【０１０７】
ショートカットボタンが押されたとき、撮像される映像信号の明るさが適切になるように設定が変更され、適切な明るさで撮像が行われる。また、明るさの設定を変更したことがユーザに通知される。
【０１０８】
再生映像のアスペクト比がLCDパネル７０のアスペクト比と異なる場合、そのことが再生機能の問題として検出されたり、フォーカスの調整が適切でない場合、そのことが撮像機能の問題として検出されたりするようにしてもよい。
【０１０９】
また、以上の例においては、問題が発生したことを通知するメッセージとともに表示されるショートカットボタンが押されたとき、設定画面を表示することなく設定が直接変更されるものとしたが、設定の内容が複雑である場合は、ショートカットボタンが押されることに応じて、設定を変更するための専用の画面がそれまで表示されている画面に替えて一旦表示され、その画面を用いて、ユーザが設定を変更することができるようにしてもよい。
【０１１０】
ショートカットボタンが押されることに応じて、設定を変更するための専用の画面がそれまで表示されている画面に替えて表示される場合の例について図１３乃至図１７を参照して説明する。
【０１１１】
図１３は、LCDパネル７０に表示される、撮像中の映像を表示する画面の例を示す図である。
【０１１２】
この例においては、ユーザが手動で設定した明るさが適切でなく、撮像中の映像が暗いものになっている。画面の下方には、テープの情報を表示させるときに操作されるボタン１１１、操作手順のガイドを表示するときに操作されるボタン１１２、および、メニュー画面を表示するときに操作されるボタン１１３が並べて表示されている。
【０１１３】
この場合、例えば、記録再生処理回路６４から通知される撮像中の映像の明るさと、適切な明るさが比較され、明るさの設定に問題が発生したとして問題発生検出部８１により検出される。このとき、LCDパネル７０には、図１４に示されるような画面が表示される。
【０１１４】
図１４の例においては、ポップアップ１２１が表示され、そこに「明るさの調整が適切ではありません。明るさの調整を行うためには［設定］ボタンを押してください。」のメッセージが表示されている。メッセージは、問題が発生している状態のままの暗い映像に重ねて表示されている。
【０１１５】
メッセージの上には、終了ボタン１２１Ａと設定変更ボタン１２１Ｂが表示されている。ポップアップ１２１に表示されているメッセージは、明るさの調整に問題があることと、明るさの設定を変更するには、同時に表示されている設定変更ボタン１２１Ｂを押すことを通知するものになっている。
【０１１６】
図１４の設定変更ボタン１２１Ｂが押されたとき、LCDパネル７０には、明るさの調整を行うための専用の画面である図１５に示されるような画面が表示される。
【０１１７】
図１５の例においては、明るさをビデオカメラ５１が自動的に調整する「オート」を設定するときに操作されるボタン１３１と、ユーザが手動で調整する「マニュアル」を設定するときに操作されるボタン１３２が表示されている。「マニュアル」が設定されているとき、ボタン１３１、ボタン１３２の上方に表示されるマイナスボタン１３３、プラスボタン１３４を押すことによって、ユーザは、明るさを手動で設定することができる。
【０１１８】
ボタン１３１が押され、「オート」が設定されたことから映像の明るさが適切な明るさに自動的に調整されたとき、または、「マニュアル」が設定された状態でマイナスボタン１３３、プラスボタン１３４が操作され、映像の明るさが適切なものにユーザにより調整されたとき、画面に表示される映像は、図１６に示されるような映像になる。
【０１１９】
図１６の画面において、各種のボタンの背景として表示されている映像は、図１５の画面の背景として表示されている映像より明るく、適切な明るさのものになっている。所定の時間が経過したとき、明るさの調整に用いられるボタンは消え、図１７に示されるような画面が表示される。これにより、ユーザは、適切な明るさの映像を見ることができる。
【０１２０】
以上のように、メッセージとともに表示されるボタンを操作したときに設定画面が表示されるようにすることによっても、ユーザは、表示された設定画面を用いることによって、容易に、かつ迅速に設定を変更することができる。
【０１２１】
以上においては、ビデオカメラ５１に設けられる記録メディアがテープの場合について説明したが、テープに代えて、光ディスク、ハードディスク、フラッシュメモリなどの他の記録メディアが設けられるようにしてもよい。
【０１２２】
また、以上においては、問題が発生したとき、その内容を表すメッセージを表示することについて説明したが、問題が発生したときにメッセージを表示するか否かをユーザが選択することができるようにしてもよい。
【０１２３】
ビデオカメラ５１の操作に慣れており、問題が発生した場合であってもメニュー画面などを辿り、設定画面を表示させて設定を自ら変更することができるユーザにとってはメッセージが邪魔になることがあるから、メッセージを表示するか否かをユーザが選択することができることは、そのようなユーザにとってはメリットがあるといえる。この場合、メッセージの表示機能がONのときは問題の発生が検出されることに応じてメッセージの表示が行われ、OFFのときは問題の発生が検出されたとしても何も表示されない。
【０１２４】
また、以上においては、メッセージとともに表示されるボタンが押されたときに設定を変更したり、設定画面を表示したりする、いわゆるインタラクティブに問題を解決する場合について説明したが、問題が発生したことが検出されたときに、そのことをユーザに通知することなく、自動的に設定が変更され、設定が変更されたことのみ、ユーザに通知されるようにしてもよい。
【０１２５】
これにより、ユーザは、より簡単に、煩わしさを感じることもなく、最適な状態でビデオカメラ５１を使用することが可能となる。
【０１２６】
また、ビデオカメラ５１の操作に慣れていないユーザにとっては、メッセージを見たとしても設定を変更してよいかどうか判断が難しく不安を感じることがあるが、自動的に設定が変更されるようにすることにより、そのような不安をユーザに与えてしまうことを防ぐことができる。
【０１２７】
メッセージを表示し、インタラクティブに設定が変更されるようにするか、メッセージを表示することなく、自動的に設定が変更されるようにするかを、ユーザが、設定画面を用いて自ら選択することができるようにしてもよい。
【０１２８】
上述した一連の処理は、ハードウエアにより実行することもできるし、ソフトウエアにより実行することもできる。一連の処理をソフトウエアにより実行する場合には、そのソフトウエアを構成するプログラムがプログラム記録媒体からインストールされる。
【０１２９】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１３０】
本発明の実施の形態は、上述した実施の形態に限定されるものではなく、本発明の要旨を逸脱しない範囲において種々の変更が可能である。
【図面の簡単な説明】
【０１３１】
【図１】ビデオカメラに表示される画面の例を示す図である。
【図２】ビデオカメラに表示される画面の他の例を示す図である。
【図３】ビデオカメラに表示される画面のさらに他の例を示す図である。
【図４】ビデオカメラに表示される画面の例を示す図である。
【図５】ビデオカメラに表示される画面の他の例を示す図である。
【図６】ビデオカメラに表示される画面のさらに他の例を示す図である。
【図７】本発明の一実施形態に係るビデオカメラのハードウエア構成例を示すブロック図である。
【図８】ビデオカメラの機能構成例を示すブロック図である。
【図９】ビデオカメラの処理について説明するフローチャートを説明する図である。
【図１０】ビデオカメラに表示される画面の例を示す図である。
【図１１】図１０の画面に続けてビデオカメラに表示される画面の例を示す図である。
【図１２】図１１の画面に続けてビデオカメラに表示される画面の例を示す図である。
【図１３】ビデオカメラに表示される画面の例を示す図である。
【図１４】図１３の画面に続けてビデオカメラに表示される画面の例を示す図である。
【図１５】図１４の画面に続けてビデオカメラに表示される画面の例を示す図である。
【図１６】図１５の画面に続けてビデオカメラに表示される画面の例を示す図である。
【図１７】図１６の画面に続けてビデオカメラに表示される画面の例を示す図である。
【符号の説明】
【０１３２】
５１  ビデオカメラ，  ６６  マイクロプロセッサ，  ６７  オンスクリーンディスプレイ回路，  ６９  タッチパネル，  ７０  LCDパネル，  ８１  問題発生検出部，  ８２  設定管理部
【図１】
2008147862.tif 000003
【図２】
2008147862.tif 000004
【図３】
2008147862.tif 000005
【図４】
2008147862.tif 000006
【図５】
2008147862.tif 000007
【図６】
2008147862.tif 000008
【図７】
2008147862.tif 000009
【図８】
2008147862.tif 000010
【図９】
2008147862.tif 000011
【図１０】
2008147862.tif 000012
【図１１】
2008147862.tif 000013
【図１２】
2008147862.tif 000014
【図１３】
2008147862.tif 000015
【図１４】
2008147862.tif 000016
【図１５】
2008147862.tif 000017
【図１６】
2008147862.tif 000018
【図１７】
2008147862.tif 000019